(57)【要約】【課題】  ドラム式洗濯乾燥機の振動騒音を低減するとともにダクト接続部の強度信頼性を向上させ、コンパクトなドラム式洗濯乾燥機を可能とする。【解決手段】  回転軸を横にした回転自在なる回転ドラム２９と、回転ドラム２９を内包すると共に洗濯水を溜める外槽２０と、外槽２０を内包する外枠２と、回転ドラム２９に温風を送風するための除湿部，ヒータ及び送風機を含む乾燥装置６とを有し、乾燥装置６の少なくとも一部を外枠２側に配置したドラム式洗濯乾燥機において、乾燥装置６側の通風路をベローズ７を介して外槽２０側に接続し、ベローズ７を、その伸縮方向が外槽２０の前面に沿うか或いは略鉛直方向に沿うように設けると共に、外槽２０の前面の外周縁よりも外側に設ける。【選択図】図２
2008113981.tif 000002
【特許請求の範囲】
【請求項１】
回転軸を横にした回転自在なる回転ドラムと、前記回転ドラムを内包すると共に洗濯水を溜める外槽と、前記外槽を内包する外枠と、前記回転ドラムに温風を送風するための除湿部，ヒータ及び送風機を含む乾燥装置とを有し、前記乾燥装置の少なくとも一部を外枠側に配置したドラム式洗濯乾燥機において、
前記乾燥装置側の通風路をベローズを介して前記外槽側に接続し、
前記ベローズを、その伸縮方向が外槽の前面に沿うか或いは略鉛直方向に沿うように設けると共に、前記外槽の前面の外周縁よりも外側に設けたことを特徴とするドラム式洗濯乾燥機。
【請求項２】
請求項１に記載のドラム式洗濯乾燥機において、
前記ベローズを、洗濯物を出し入れするドアが設けられた前面側から見て、回転ドラムの回転軸を横切って鉛直方向にとった中央線から幅方向にずらして配置すると共に、少なくとも前記ベローズの伸縮部の下端が鉛直方向において前記外槽の最も高い部分よりも低い位置にあるように配置したことを特徴とするドラム式洗濯乾燥機。
【請求項３】
請求項１又は２に記載のドラム式洗濯乾燥機において、
前記ベローズは、このドラム式洗濯乾燥機を横から見たときに、前記外槽の前面よりも前側に位置することを特徴とする洗濯乾燥機。
【請求項４】
請求項１乃至３のいずれか１項に記載のドラム式洗濯乾燥機において、
前記除湿部と前記ヒータと前記送風機とは外枠側に設けられ、
前記ベローズは、前記除湿部と前記ヒータと前記送風機とを通過した後の循環空気が流れる通風路に接続されることを特徴とするドラム式洗濯乾燥機。
【請求項５】
請求項１乃至４のいずれか１項に記載のドラム式洗濯乾燥機において、前記回転ドラムの回転軸を前側が奥側よりも高くなるように傾けたことを特徴とするドラム式洗濯乾燥機。
【発明の詳細な説明】
【技術分野】
【０００１】
本発明は、熱交換器を有する乾燥装置を備えて、洗濯，脱水及び乾燥を行うドラム式洗濯乾燥機に関する。
【背景技術】
【０００２】
ドラム式洗濯乾燥機は、特開２００５−２２４６２１号公報（特許文献１）に記載されている。このドラム式洗濯乾燥機は、ヒータ出口から洗濯物出し入れ用の円形開口の側面に循環風路が接続されている。また、特開２００５−２２４３５１号公報（特許文献２）に記載されているドラム式洗濯乾燥機は、ヒータ出口からの吹出し口が外槽の前方向にパッキンを介して接続されている。
【０００３】
【特許文献１】特開２００５−２２４６２１号公報（第７頁、図１）
【特許文献２】特開２００５−２２４３５１号公報（第１２頁、図２）
【発明の開示】
【発明が解決しようとする課題】
【０００４】
洗濯乾燥機において乾燥時間の短縮を図るためには除湿ダクトを冷却して除湿性能を向上させる必要がある。このためには除湿ダクトを高温の外槽から離し、ダクトの入口と出口を外槽と柔軟構造のダクトで接続し、外槽の振動による変位を吸収する必要がある。
【０００５】
従来技術の構成はヒータ出口から洗濯物出し入れ用の円形開口の側面に循環風路が接続されているため、外槽の振動による変位、特に外槽の前後方向の振動を吸収することが難しくなり、ダクト接続部の強度信頼性を向上させるには更なる工夫が必要である。また、ヒータ出口からの吹出し口が外槽の前方向にパッキンを介して接続した場合、外槽の振動を吸収するためには接続部の長さが必要となり、ドラム式洗濯乾燥機のコンパクト化にとっては不利である。
【０００６】
本発明の目的は、ダクト接続部の強度信頼性を向上したドラム式洗濯乾燥機を提供することにある。本発明の他の目的は、コンパクトなドラム式洗濯乾燥機を提供することにある。
【課題を解決するための手段】
【０００７】
上記目的を達成するために、本発明の洗濯乾燥機は、回転軸心線を横にした回転自在なる回転ドラムと、前記回転ドラムを内包すると共に洗濯水を溜める外槽と、前記外槽を内包する外枠と、前記回転ドラムに温風を送風するための除湿部，ヒータ及び送風機を含む乾燥装置とを有し、前記乾燥装置の少なくとも一部を外枠側に配置したドラム式洗濯乾燥機において、前記乾燥装置側の通風路をベローズを介して前記外槽側に接続し、前記ベローズを、その伸縮方向が外槽２０の前面に沿うか或いは略鉛直方向に沿うように設けると共に、前記外槽の前面の外周縁よりも外側に設けたことを特徴とする。
【発明の効果】
【０００８】
本発明によれば、外槽の振動を吸収しやすく、またダクト接続部の強度信頼性を向上させることが出来る。更に、コンパクトなドラム式洗濯乾燥機を提供することができる。
【発明を実施するための最良の形態】
【０００９】
以下、本発明の実施例を図面により説明する。
図１は、本発明の実施例に係るもので、ドラム式洗濯乾燥機の斜視図を示す。ベース１の上部には鋼板と樹脂成形品で組合わされて構成された外枠２が載せられている。外枠２の正面には洗濯物３０を出し入れするドア３と前面カバー２２及び背面には背面カバー
２３が設けられている。
【００１０】
図２は、本発明の実施例に係るもので、ドラム式洗濯乾燥機の断面図を示す。図３は、本発明の実施例に係るもので、前面カバー２２を外したドラム式洗濯乾燥機の正面図を示す。図４は、本発明の実施例に係るもので、背面カバー２３を外したドラム式洗濯乾燥機の背面図を示す。外枠２の内側には外槽２０が備えられる。外槽２０は、その下部に複数個のサスペンション２１が設けられ、これらのサスペンション２１により支持されている。
【００１１】
外槽２０の内側にある回転ドラム２９には、洗濯物３０がドア３を開けて投入されよう構成されている。回転ドラム２９の回転軸は横向きである。回転軸が横向きとは、水平のほか、前側が奥側（後ろ側）よりも高くなるように傾斜したものを含む。回転ドラム２９の開口部の外周には脱水時の洗濯物３０のアンバランスによる振動を低減するための流体バランサー３１が設けられている。また、回転ドラム２９の内側には洗濯物３０を掻き揚げる複数個のリフター３３が設けられている。回転ドラム２９は金属製のフランジ３４に連結された主軸３５を介してドラム駆動用モータ３６に直結されている。外槽２０の開口部には弾性体からなるゴム系のパッキン３８が取付けられている。このパッキン３８は外槽２０内とドア３との水密性を維持する役割をしている。これにより、洗い，すすぎ及び脱水時の水漏れの防止が図られている。回転ドラム２９は、側壁に遠心脱水および通風用の多数の小孔（図示せず）を有する。外槽２０の底壁に開口した排水口３７は、排水電磁弁８を介して排水ホース９に接続する。
【００１２】
回転ドラム２９内の洗濯物３０を乾燥させる温風送風手段は、除湿ダクト５と送風機
６１とヒータ６２とを含む乾燥装置６によって構成される。乾燥装置６は外槽２０から離して外枠２側に固定されている。循環空気の外槽２０からの出口となる通風口３２と除湿ダクト５とは柔軟構造のベローズ４で略水平に接続されている。ヒータ６２の出口側の通風路（ダクト）と吹込みノズル１１とは、外槽２０の振動を吸収するために、ベローズ７を介して接続されている。ベローズ７はその伸縮方向が外槽２０の前面に沿うか或いは略鉛直方向に沿うように設けられている。吹込みノズル１１と外槽２０との接続部は外槽
２０の前面に設けられている。本実施例では、特に外槽２０の前面に対して略垂直に接続している。
【００１３】
ベローズ７は、少なくともじゃばら形をして伸縮する部分が、外槽２０の前面の外周縁よりも外側に位置するように設けられている。またベローズ７は、ドラム式洗濯乾燥機を横（側方）から見たときに、外槽２０の前面よりも前側に配置されている。これにより、外槽２０が振動しても、ベローズ７の伸縮部が外槽２０と接触することが無い。さらに、吹込みノズル１１と外槽２０との接続部は、ドア３が設けられた前面側から見て、回転ドラム２９の回転軸を横切って鉛直方向にとった中央線Ｃ−Ｃから左右方向（幅方向）にずらして配置する（図３のｗ）。このときベローズ７は、少なくともその下端が、鉛直方向において、外槽２０の最も高い部分よりも低い位置にあるようにする（図３のｈ）。これにより、じゃばら形をして伸縮する部分を外槽２０の前面の外周縁よりも外側に配置しても、ドラム式洗濯乾燥機の高さ方向における外形寸法が大きくなるのを防ぐことができる。
【００１４】
ベローズ７を外槽２０の前面の外周縁よりも外側に配置するために、ベローズ７を継手７１を介して外槽２０に接続する。継手７１はベローズ７と接続される開口面が水平になるようにしている。すなわち前記開口面が鉛直方向上側を指向している。これにより、ベローズ７の伸縮性能を最大限に発揮できるので、ベローズ７を短縮化でき、ドラム式洗濯乾燥機の高さ方向における外形寸法が大きくなるのを防ぐことができる。
【００１５】
本実施例では、吹込みノズル１１を外槽２０の前面側に設けているが、循環空気の流れを逆にして、外槽２０の前面側に乾燥装置６への循環空気取り入れ口（吸気口）を設けても良い。この場合も、ベローズ７の配置は有効である。
【００１６】
このように構成したドラム式洗濯乾燥機は、洗濯工程においては、回転ドラム２９内に洗濯物を投入し、排水電磁弁８を閉じた状態で給水して外槽２０に洗濯水を溜め、回転ドラム２９を回転させて洗濯物を洗濯する。また、脱水工程においては、排水電磁弁８を開いて外槽２０内の洗濯水を排水し、回転ドラム２９を回転させて遠心脱水する。そして、乾燥工程では、排水電磁弁８を開いた状態で回転ドラム２９を回転させると共に、送風機６１を運転して外槽２０内の空気を通風口３２から吸い出して除湿ダクト５内を通過させて水冷除湿した後にヒータ６２で加熱して吹込みノズル１１から回転ドラム２９内の洗濯物３０に向けて吹込む循環空気１２を生成する。回転ドラム２９内で洗濯物３０から水分を奪って湿潤した循環空気１２の除湿は、冷却水供給管５１から除湿ダクト５内の壁面に流れ出た冷却水５２を流下させ、循環空気１２と触れさせることにより実現する。除湿ダクト５内の壁面に流れ出た冷却水５２は排水口３７を通って排水ホース９により排出される。
【００１７】
このように構成したドラム式洗濯乾燥機は、除湿ダクト５が乾燥工程中、高温になる外槽２０から離れて設置されているため、除湿ダクト５の冷却が十分に行われ除湿性能が向上し、乾燥時間の短縮を図ることが出来る。また、ベローズ４及びベローズ７を上記のように設けたことにより、外槽２０の上下左右及び前後方向の振動を吸収し易く振動による騒音を低減するとともに接続部の強度や摩耗に対する信頼性や乾燥装置６の強度信頼性が向上する。特に、外槽２０が本実施例のように傾いている場合、前後方向の変位量が大きくなる。このため、ベローズ７をその伸縮方向が外槽２０の前面に沿うか或いは略鉛直方向に沿うように配置して外槽２０側と乾燥装置６側のダクトとを接続することが重要となる。また、ベローズ７を本実施例のように配置することにより、外槽２０の振動を吸収しながら外槽２０と外枠２の空間に効率よく接続部を配置することが出来、ドラム式洗濯乾燥機のコンパクト化が可能となる。
【００１８】
上記の除湿部及びヒータはヒートポンプ式の構成とすることも可能である。
【図面の簡単な説明】
【００１９】
【図１】本発明の実施に係るもので洗濯乾燥機の斜視図を示す。
【図２】本発明の実施に係るもので洗濯乾燥機の断面図を示す。
【図３】本発明の実施に係るもので前面カバーを外した洗濯乾燥機の正面図を示す。
【図４】本発明の実施に係るもので背面カバーを外した洗濯乾燥機の背面図を示す。
【符号の説明】
【００２０】
１  ベース
２  外枠
３  ドア
４，７  ベローズ
５  除湿ダクト
６  乾燥装置
８  排水電磁弁
９  排水ホース
１１  吹込みノズル
１２  循環空気
２０  外槽
２１  サスペンション
２２  前面カバー
２３  背面カバー
２９  回転ドラム
３０  洗濯物
３１  流体バランサー
３２  通風口
３３  リフター
３４  フランジ
３５  主軸
３６  ドラム駆動用モータ
３７  排水口
３８  パッキン
５１  冷却水供給管
５２  冷却水
６１  送風機
６２  ヒータ
７１  継手
【図１】
2008113981.tif 000003
【図２】
2008113981.tif 000004
【図３】
2008113981.tif 000005
【図４】
2008113981.tif 000006